【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
センサから取得される情報を記録する情報記録装置であって、
複数の記録媒体と、
ユーザが前記複数のうちどの記録媒体に記録するかを選択する記録媒体選択手段と、
前記センサから入力される情報を前記記録媒体に記録する記録手段と、
前記記録媒体の空き容量と、前記センサから入力される情報を記録するビットレートから、
前記記録媒体に記録可能な残り時間を示す情報を取得する記録可能時間取得手段と、
前記情報を記録する時間を設定する時間設定手段と、
前記各構成を制御する制御手段と、を備え、
前記制御手段は、
前記記録媒体選択手段によって選択された記録媒体の記録可能な残り時間が前記設定された時間より短い場合には、
電源が入れられたときに、前記記録する情報のデータ量を低減させるよう制御することを特徴とする情報記録装置。
【請求項２】
請求項１に記載の情報記録装置であって、
前記複数の記録媒体には第１の記録媒体と第２の記録媒体が含まれ、
前記制御手段は、設定された下限の情報量にて第１の記録媒体に前記情報を記録できない場合には、
前記第２の記録媒体に前記情報を記録するよう制御することを特徴とする情報記録装置。
【請求項３】
センサから取得される情報を記録する情報記録装置であって、
複数の記録媒体と、
ユーザが前記複数のうちどの記録媒体に記録するかを選択する記録媒体選択手段と、
前記センサから入力される情報を前記記録媒体に記録する記録手段と、
前記記録媒体の空き容量と、前記センサから入力される情報を記録するビットレートから、
前記記録媒体に記録可能な残り時間を示す情報を取得する記録可能時間取得手段と、
前記情報を記録する時間を設定する時間設定手段と、
前記各構成を制御する制御手段と、を備え、
前記制御手段は、
前記記録媒体選択手段によって選択された第１の記録媒体の記録可能な残り時間が前記設定された時間より短い場合には、
電源が入れられたときに、
第２の記録媒体に前記情報を記録するよう制御することを特徴とする情報記録装置。
【請求項４】
請求項３に記載の情報記録装置であって、
前記制御手段は、前記第１および第２の記録媒体に記録できない場合には、
前記記録する情報のデータ量を低減させるよう制御することを特徴とする情報記録装置。
【請求項５】
センサから取得される情報を記録する情報記録装置であって、
複数の記録媒体と、
ユーザが前記複数のうちどの記録媒体に記録するかを選択する記録媒体選択手段と、
情報の記録をユーザが指示する記録指示手段と、
前記センサから入力される情報を記録媒体に記録する記録手段と、
前記記録媒体の空き容量と、前記センサから入力される情報を記録するビットレートから、前記記録媒体に記録可能な残り時間を示す情報を取得する記録可能時間取得手段と、
前記情報を記録する時間を設定する時間設定手段と、
前記各構成を制御する制御手段と、を備え、
前記制御手段は、
前記記録媒体選択手段によって選択された記録媒体の記録可能な残り時間が前記設定された時間より短い場合には、
電源が入れられた後前記記録指示手段が有効化される前に、
前記記録する情報のデータ量を低減させるよう制御することを特徴とする情報記録装置。
【請求項６】
請求項１ないし５のいずれか一項に記載の情報記録装置であって、
前記制御手段は、前記設定された時間が前記残り時間よりも大きくなるように
前記記録する情報のデータ量を低減させるよう制御することを特徴とする情報記録装置。
【請求項７】
請求項１ないし６のいずれか一項に記載の情報記録装置であって、
前記制御手段は、前記情報を記録するビットレートを低減させることにより前記記録する情報のデータ量を低減させることを特徴とする情報記録装置。
【請求項８】
請求項１ないし６のいずれか一項に記載の情報記録装置であって、
ユーザが電源を投入する操作を行う第１の電源投入手段と第２の電源投入手段と、を備え、
前記制御手段は、前記設定された時間より前記残り時間が短く、かつ電源の投入が前記第１の電源投入手段により行われた場合には、
電源が入れられた後前記記録指示手段が有効化される前に、
前記記録する情報のデータ量を低減させるよう制御することを特徴とする情報記録装置。
【請求項９】
請求項１ないし６のいずれか一項に記載の情報記録装置において、
前記センサは撮像素子であり、前記撮像素子から取得される情報は画像情報であり、
前記制御手段は、前記画像情報の解像度を低下させることにより、
前記記録する情報のデータ量を低減させることを特徴とする情報記録装置。
【請求項１０】
請求項１ないし６のいずれか一項に記載の情報記録装置において、
前記センサは撮像素子であり、前記撮像素子から取得される情報は画像情報であり、
前記画像情報に対して画像認識処理を行う画像認識処理手段を備え、
前記記録手段は、前記撮像素子から入力される画像情報とともに、前記画像認識処理結果を示す認識処理情報を前記記録媒体に記録し、
前記制御手段は、前記認識処理情報の一部または全部を削除することにより、
前記記録する情報のデータ量を低減させることを特徴とする情報記録装置。
【請求項１１】
請求項１ないし６のいずれか一項に記載の情報記録装置において、
前記センサは撮像素子であり、前記撮像素子から取得される情報は画像情報であり、
前記画像情報に対して画像認識処理を行う画像認識処理手段を備え、
前記記録手段は、前記撮像素子から入力される画像情報とともに、前記画像認識処理結果を示す認識処理情報を前記記録媒体に記録し、
前記制御手段は、前記設定された時間より前記残り時間が短い場合、
前記認識処理情報の記録を停止することにより、前記記録する画像情報のデータ量を低減させることを特徴とする情報記録装置。
【請求項１２】
センサから取得される情報を記録する情報記録装置であって、
前記センサから入力される情報を、複数のユーザ領域に分割された記録媒体に記録する記録手段と、
前記複数のユーザ領域のうち、１つのユーザ領域の空き容量と、前記センサから入力される情報のビットレートから、前記１つのユーザ領域に記録可能な残り時間を示す情報を取得する記録可能時間取得手段と、
前記情報を記録する時間を設定する時間設定手段と、
前記各構成を制御する制御手段と、を備え、
前記制御手段は、電源が入れられた場合に、前記設定された時間より前記残り時間が短い場合に、前記情報を他のユーザ領域に記録することを許可するよう制御することを特徴とする情報記録装置。
【請求項１３】
請求項１２に記載の情報記録装置において、
個々のユーザの識別を行うユーザ識別手段を備え、
前記記録手段は、前記ユーザ識別手段により識別されたユーザに割り当てられた領域に、前記センサから入力される情報を記録することを特徴とする情報記録装置。
【請求項１４】
請求項１２に記載の情報記録装置において、
前記制御手段は、電源が入れられた場合に、前記設定された時間より前記残り時間が短いと、前記情報を他のユーザ領域に記録することを許可し、前記設定された時間より、前記他の領域の残り時間が短い場合には、前記情報を記録するデータ量を低減させるよう制御することを特徴とする情報記録装置。
【請求項１５】
請求項１２に記載の情報記録装置において、
前記記録媒体は、前記ユーザ領域に加え、複数のユーザが共用する共用領域を有することを特徴とする情報記録装置。
【請求項１６】
請求項１ないし１５のいずれか一項に記載の情報記録装置において、
情報を記録するデータ量を低減した場合には、その旨を報知する報知手段を備えることを特徴とする情報記録装置。